(57)【要約】  蓄電池を充電するための充電電力制御方法であって、予め「制限値」と「要求電力」とが設定されており、充電中の蓄電池電力の実効値を計測するステップと、計測された前記実効値が単調減少しているか否かを判定するステップと、減少している場合に、前記制限値および前記要求電力の値を、一例で前記実効値と同一の値に再設定するステップと、再設定された前記制限値および前記要求電力を記憶しておくステップと、後、再設定された前記制限値で蓄電池の充電を続けるステップと、蓄電池の充電中に制限充電を行うステップと、制限充電が解除された後に、制限値を、記憶しておいた前記要求電力に設定して充電を再開するステップと、を有する方法。
2014208565.tif 000002
【特許請求の範囲】
【請求項１】
１つまたは複数の充電器が配置された充電設備において蓄電池を充電するための充電電力制御方法であって、１つの充電器が充電に利用可能な上限電力値（以下、「制限値」という）と、充電時に蓄電池が本来利用したい電力（以下、「要求電力」という）とが予め設定されており、
Ａ１：予め設定された所定の初期電力で蓄電池の充電を開始するステップと、
Ａ２：充電中の蓄電池電力の実効値を計測するステップと、
Ａ３：計測された前記実効値が単調減少しているか否かを判定するステップと、
Ａ４：単調減少している場合に、前記制限値および前記要求電力の値を、前記実効値と同一もしくは実効値より所定の値だけ大きい値であってかつ制限値または要求電力の初期値よりは小さい値に再設定するステップと、
Ａ５：再設定された前記制限値および前記要求電力を記憶しておくステップと、
Ａ６：その後、再設定された前記制限値で蓄電池の充電を続けるステップと、
Ａ７：蓄電池の充電中に、現在の要求電力よりも制限値を低くして充電（以下、「制限充電」という）を行うステップと、
Ａ８：制限充電が解除された後に、制限値を、記憶しておいた前記要求電力に設定して充電を再開するステップと、
を有する、充電電力制御方法。
【請求項２】
充電開始時の前記初期電力値が、充電器の性能に応じて予め決定されたスペック値である、請求項１に記載の充電電力制御方法。
【請求項３】
前記実効値が単調減少しているか否かを判定する前記ステップが、所定の時間間隔で周期的に行われる、請求項１または２に記載の充電電力制御方法。
【請求項４】
前記Ａ２からＡ５までのステップが、制限充電解除後の充電中にも行われる、請求項１〜３のいずれか一項に記載の充電電力制御方法。
【請求項５】
前記蓄電池は、電気自動車に搭載された蓄電池である、請求項１〜４のいずれか一項に記載の充電電力制御方法。
【請求項６】
１つまたは複数の充電器と、その充電器に電力を供給する電力コントローラと、少なくとも前記充電器の動作の一部を制御する充電電力制御装置とを備えるシステムであって、
１つの充電器が充電に利用可能な上限電力値（以下、「制限値」という）と、充電時に蓄電池が本来利用したい電力（以下、「要求電力」という）とが予め設定されており、
前記充電電力制御装置は、
Ｂ１：充電中の蓄電池電力の実効値が単調減少しているか否かを判定する判定処理部と、
Ｂ２：単調減少している場合に、前記制限値および前記要求電力の値を、前記実効値と同一もしくは実効値より所定の値だけ大きい値であってかつ制限値または要求電力の初期値よりは小さい値に再設定する再設定処理部と、
Ｂ３：再設定された前記制限値および前記要求電力を記憶デバイスに記憶させる記憶処理部と、
Ｂ４：蓄電池の充電中に、現在の要求電力よりも制限値を低くして充電（以下、「制限充電」という）が行われ、その制限充電が解除された後に、前記制限値を前記記憶されていた要求電力に設定して充電を再開するよう充電器に命令を送信する充電再開処理部と、
を有する、充電電力制御システム。
【請求項７】
１つまたは複数の充電器と、その充電器に電力を供給する電力コントローラと、少なくとも前記充電器の動作の一部を制御する充電電力制御装置とを備えるシステムにおける前記充電電力制御装置のためのコンピュータプログラムであって、
１つの充電器が充電に利用可能な上限電力値（以下、「制限値」という）と、充電時に蓄電池が本来利用したい電力（以下、「要求電力」という）とが予め設定されており、
１つまたは複数のコンピュータを、
Ｃ１：充電中の蓄電池電力の実効値が単調減少しているか否かを判定する判定処理部と、
Ｃ２：単調減少している場合に、前記制限値および前記要求電力の値を、前記実効値と同一もしくは実効値より所定の値だけ大きい値であってかつ制限値または要求電力の初期値よりは小さい値に再設定する再設定処理部と、
Ｃ３：再設定された前記制限値および前記要求電力を記憶デバイスに記憶させる記憶処理部と、
Ｃ４：蓄電池の充電中に、現在の要求電力よりも制限値を低くして充電（以下、「制限充電」という）が行われ、その制限充電が解除された後に、前記制限値を前記記憶されていた要求電力に設定して充電を再開するよう充電器に命令を送信する充電再開処理部と、
して機能させる、コンピュータプログラム。
【請求項８】
蓄電池を充電する複数の充電器を管理する充電器管理装置であって、
前記充電器から前記蓄電池に充電している状態における前記蓄電池の電力の実効値を示す情報と、前記充電器が前記蓄電池に充電可能な上限電力値（制限値）の初期値を示す情報と、を取得し、
前記実効値が所定期間において減少している場合に、前記上限値を、前記実効値と同一もしくは実効値よりも所定の値だけ大きい値であってかつ前記制限値の初期値よりも小さい値に再設定する、
ことを特徴とする充電器管理装置。
【発明の詳細な説明】
【技術分野】
【０００１】
本発明は、１つまたは複数の充電器が配置された充電設備において蓄電池を充電するための充電電力制御方法、充電電力制御システムおよびプログラムに関し、特には、蓄電池の充電状態に応じて充電電力を制御することで効率的に蓄電池の充電を実施可能な充電電力制御方法、充電電力制御システムおよびプログラムに関する。
【背景技術】
【０００２】
近年、電気自動車等を充電するための充電器を設置し、充電サービスを提供することで対価を取得するビジネスモデルを実現するためのシステムが種々提案されている。電気自動車の充電に要する時間は、当然ながらその二次電池の仕様や充電器の性能によって様々ではあるが、一般に、いわゆる急速充電の場合で数十分、普通充電の場合で数時間程度である。【０００３】
例えば特許文献１では、電気自動車を充電するための複数の充電器とそれらの充電器に接続された装置等を備えるシステムであって、そのシステムで利用可能なリソースを把握した上で、どの充電器にどれくらいの電力を割り当てるかを決定し動作させる技術が開示されている。
【先行技術文献】
【特許文献】
【０００４】
【特許文献１】ＷＯ２０１２／１１８１８４
【発明の概要】
【発明が解決しようとする課題】
【０００５】
しかしながら、特許文献１では、リソースが静的な場合の動作について記述があるものの、リソースが動的に変化する場合については最大値を固定的に利用すると説明されており、電力効率の観点から改善の余地が残されている。【０００６】
また、ここでは電気自動車の例を挙げて説明したが、効率的な充電を実施するという観点から見れば、電気自動車用以外の蓄電池を充電する場合においても、充電を効率的に行うことができることが望ましい。【０００７】
そこで本発明は、蓄電池の充電状態に応じて充電電力を制御することで効率的に蓄電池の充電を実施可能な充電電力制御方法、充電電力制御システムおよびプログラムを提供することを目的とする。
【課題を解決するための手段】
【０００８】
上記目的を達成するための本発明の一形態の充電電力制御方法は下記の通りである：
１つまたは複数の充電器が配置された充電設備において蓄電池を充電するための充電電力制御方法であって、１つの充電器が充電に利用可能な上限電力値（以下、「制限値」という）と、充電時に蓄電池が本来利用したい電力（以下、「要求電力」という）とが予め設定されており、
Ａ１：予め設定された所定の初期電力で蓄電池の充電を開始するステップと、
Ａ２：充電中の蓄電池電力の実効値を計測するステップと、
Ａ３：計測された前記実効値が単調減少しているか否かを判定するステップと、
Ａ４：単調減少している場合に、前記制限値および前記要求電力の値を、前記実効値と同一もしくは実効値より所定の値だけ大きい値であってかつ制限値または要求電力の初期値よりは小さい値に再設定するステップと、
Ａ５：再設定された前記制限値および前記要求電力を記憶しておくステップと、
Ａ６：その後、再設定された前記制限値で蓄電池の充電を続けるステップと、
Ａ７：蓄電池の充電中に、現在の要求電力よりも制限値を低くして充電（以下、「制限充電」という）を行うステップと、
Ａ８：制限充電が解除された後に、制限値を、記憶しておいた前記要求電力に設定して充電を再開するステップと、
を有する、充電電力制御方法。【０００９】
（用語の定義）
「蓄電池」としては、一例として電気自動車の蓄電池（二次電池）等が挙げられるが、これに限らず、他の用途に用いられる蓄電池であってもよい。
「要求電力」とは、蓄電池（一例で電気自動車の蓄電池）が充電時に本来利用したい電力のことをいう。但し、その初期値は、一例として充電器のスペック値（例えばその充電器の最大充電電力）である。
「実効値」とは、蓄電池（一例で電気自動車の蓄電池）が利用中の電力（すなわち、充電中の蓄電池の電力の実効値）のことをいう。
「制限値」とは、蓄電池（一例で電気自動車の蓄電池）が利用可能な電力（すなわち、充電器が蓄電池の充電のために利用可能な電力）のことをいう。初期値は、例えば要求電力と同一または実質的に同一の値であってもよい。
「充電電力制御装置」とは、本発明の一形態に係る充電状態管理方法を実施可能なコンピュータのことをいい、例えばサーバ等が含まれる。充電状態管理装置は、一台のコンピュータで構成されてもよいし、複数台のコンピュータで構成されてもよい。
【発明の効果】
【００１０】
本発明によれば、蓄電池の充電状態に応じて充電電力を制御することで効率的に蓄電池の充電を実施可能な充電電力制御方法、充電電力制御サーバおよびプログラムを提供することができる。
【図面の簡単な説明】
【００１１】
【図１】本発明の一形態の蓄電充電システムを模式的に示す図である。
【図２】充電器の概略的な構成を示すブロック図である。
【図３Ａ】制限充電を実施しない場合の充電パターンを示す図である。
【図３Ｂ】制限充電を実施するとともにその後再び通常の充電を実施する場合の充電パターンを示す図である。
【図４】充電動作の一例を示すフローチャートである。
【発明を実施するための形態】
【００１２】
本発明の実施の形態について図面を参照しながら説明する。なお、以下に説明する構成、機能、動作等は本発明の一形態に係るものであって、本発明を何ら限定するものではない。図１は、本発明の一形態に係る蓄電充電システムを模式的に示す図である。
【００１３】
この蓄電充電システム１は、一例として蓄電池２３と太陽光発電装置２４とを含む構成であり、系統電力２２等からの電力を受けてシステム内の所定の機器に電力を供給するＰＣＳ（Ｐｏｗｅｒ  Ｃｏｎｄｉｔｉｏｎｅｒ  Ｓｙｓｔｅｍ）２０と、電気自動車（ＥＶ：Ｅｌｅｃｔｒｉｃ  Ｖｅｈｉｃｌｅ）を充電するための複数の充電器１５Ａ〜１５Ｄを有する充電設備１０と、各充電器１５Ａ〜１５Ｄの動作を制御する充電電力制御サーバ３０と、を備えている。また、図示は省略するが、配電網３５には店舗や住宅といった複数の負荷が接続されていてもよい。
【００１４】
充電設備１０は、特定のものに限定されるものではないが、例えば、ショッピング施設やサービスエリア等に設けられた充電スタンド等であってもよい。充電設備１０に配置される充電器１５Ａ〜１５Ｄの台数は４台に限らず、２台以下、３台以下または５台以上であってもよい。充電器１５Ａ〜１５Ｄの構成については他の図面も参照して後述するものとする。
【００１５】
ＰＣＳ（Ｐｏｗｅｒ  Ｃｏｎｄｉｔｉｏｎｅｒ  Ｓｙｓｔｅｍ）２０は、パワーコンディショナーあるいは電力コントローラ等とも称されるものであって、交流電力を直流電力に変換する機能や、系統電力等からの電力を充電器１５Ａ〜１５Ｄや店舗、住宅等の負荷（不図示）に供給する機能を有している。なお、図１ではＰＣＳ２０が１台のみ描かれているが、２台以上のＰＣＳが配置されていてもよい。
【００１６】
ＰＣＳ２０は、所定のネットワーク３５を介して外部と双方向通信するように構成されていてもよい。
【００１７】
ＰＣＳ２０に接続される電力供給手段としては、特に限定されるものではなく、系統電力２２、１つまたは複数の蓄電池２３、太陽光発電装置２４、風力発電装置等であってもよい。当然ながら、これらのうちの１つまたは複数の組合せとしてもよい。
【００１８】
本実施形態では、一例として充電施設１０に４つの充電器１５Ａ〜１５Ｄが配置されている。充電器１５Ａ〜１５Ｄは同一製品であってもよいし、または、異なる製品の組合せであってもよいが、以下では、充電器１５Ａ〜１５Ｄは同一製品として説明し、充電器１５Ａ〜１５Ｄを単に「充電器１５」と表すこともある。充電器１５は、一例として急速充電器であり、電気自動車に電力を供給することでその蓄電池を充電する。
【００１９】
充電器１５は、図２のブロック図に概略的に示すように、例えば、充電器の動作等を制御する制御部１５ａと、電気自動車の充電用接続部に接続される給電ケーブル１５ｂと、ユーザに対して所定の情報を表示するモニタ１６（表示デバイス）等を有するものであってもよい。給電ケーブル１５ｂ内に通信線（不図示）が内蔵されており、この通信線を通じて電気自動車のＥＣＵ（Ｅｌｅｃｔｒｉｃ  Ｃｏｎｔｒｏｌ  Ｕｎｉｔ）と所定の情報通信を行うように構成されていてもよい。
【００２０】
また、充電器１５は、電力用のインターフェース部１５ｐや、通信用のインターフェース１５ｑ等を有している。充電器１５の外形はどのようなものであってもよく、例えば、縦型の筐体内に制御部１５ａ等が内蔵されるとともに、筐体の一部にモニタ１６が配置されたようなものであってもよい。
【００２１】
モニタ１６としては、通常のディスプレイであってもよいし、タッチパネルディスプレイ等）であってもよい。
【００２２】
制御部１５ａは、例えば次のような動作の一部または全部を行うものであってもよい：
−定電流・定電圧制御方式で充電を行う、
−モニタ１６に、充電中のステータス（例えば充電率など）を表示させる、
−接続された電気自動車との間で所定のデータ通信を行う、
−接続された充電電力制御サーバ３０との間で所定のデータ通信を行う、
−電気自動車の蓄電池電力の実効値を計測する（または、実効値に関する情報を外部から取得する）、
−現在どの程度の電力で充電を行なっているかの情報を外部に対して送信する、等。
【００２３】
なお、外部に対する情報の送信等は、予め決められた所定のタイミングで実施されてもよいし、または、外部からの送信リクエストに応じて任意のタイミングで実施されてもよい。
【００２４】
充電器１５が電気自動者に供給する電力は、例えば、１０ｋＷ、２０ｋＷ、３０ｋＷ、４０ｋＷ、５０ｋＷのように段階的に設定されたものの中から選択されるものであってもよい。または、任意の数値として設定されるものであってもよい。充電器１５のスペック値（電気自動車を充電するための最大電力）は充電器の性能に応じて予め決定される。例えば、スペック値が２０ｋＷの充電器、４０ｋＷの充電器、５０ｋＷの充電器等がある。
【００２５】
電気自動車としては、電池式電気自動車の他にも、プラグインハイブリッド車等であってもよい。電気自動車の蓄電池としては、特に限定されるものではないが、リチウムイオン二次電池等を好適に利用できる。
【００２６】
充電電力制御サーバ３０は、ＣＰＵ、メモリ、記憶デバイス（例えばハードディスク等）、入出力インターフェース等を有するコンピュータであって、実装されたコンピュータプログラムに従って所定の動作を行う。なお、プログラムは、ネットワークを介してサーバ３０内に記憶されるものであってもよいし、記憶媒体に記憶されたプログラムをサーバ３０に読み込むことによってサーバ３０内に記憶されるものであってもよい。
【００２７】
充電電力制御サーバ３０は、コンピュータプログラムによって実現される以下のような機能部の一部または全部を有するものであってもよい：
（１）充電中の電気自動車の蓄電池電力の実効値が単調減少しているか否かを判定する判定処理部と、
（２）単調減少している場合に、「制限値」および「要求電力」の値を、実効値と同一もしくは実効値より所定の値だけ大きい値であってかつ制限値または要求電力の初期値よりは小さい値に再設定する再設定処理部と、
（３）再設定された上記制限値および要求電力の値を記憶デバイスに記憶させる記憶処理部と、
（４）電気自動車の充電中に、現在の要求電力よりも制限値を低くして充電（制限充電）が行われ、その制限充電が解除された後に、前記制限値を、上記記憶しておいた要求電力に設定して充電を再開するよう充電器に命令を送信する充電再開処理部、等。
【００２８】
なお、図１では充電電力制御サーバ３０は１つのみ描かれているが、複数台のコンピュータの分散処理により本発明に係る充電電力制御方法を実現することも可能である。また、上記説明では充電電力制御サーバ３０が（１）〜（４）のような処理部を有していることを例示しているが、これらの一部が充電器１５および／またはＰＣＳ２０に設けられていてもよい。すなわち、本発明の一形態においては、蓄電充電システム１において図３Ｂ（詳細後述）に示すような充電を実施できることが重要であり、それを実現するための各種処理部が何れの機器に設けられているかについては特に限定されるものではない。
【００２９】
次に、上述のように構成された本実施形態の蓄電充電システム１の動作に関し、特に充電設備１０内の動作を中心に説明する。具体的には、１つの充電器１５Ａが電気自動車を充電する動作について説明する。
【００３０】
図３Ａは、制限充電（詳細下記）を実施しない場合の充電パターンを示す図であり、図３Ｂは、制限充電（詳細下記）を実施するとともにその後再び通常の充電を実施する場合の充電パターンを示す図である。図４は、充電動作の一例を示すフローチャートである。
【００３１】
まず、ステップＳ１において、電気自動車に対する充電を次のような条件で開始する。すなわち、このステップでは、定電流定電圧方式で充電が実施され、また、このときの充電電力は初期値Ｐ０である。初期値Ｐ０は、一例として充電器１５Ａのスペック値（例えば３０ｋＷ等）である。図３Ｂに示すように、この例では、充電器１５Ａに対する制限値（その充電器が利用可能な電力値）が初期値Ｐ０と同一または実質的に同一に設定されている。
【００３２】
なお、充電器１５Ａによる充電を開始させるためのトリガとしては、充電器１５Ａを利用するユーザからの所定の入力（例えばタッチパネル式モニタ１６上で開始ボタン等をタッチする、あるいは、充電器の所定の物理ボタンを押す等）であってもよい。その充電器１５Ａの充電電圧のスペック値（例えば３０ｋＷ）等の情報が、充電電力制御サーバ３０に対して送信され、充電電力制御サーバ３０側でその情報が記憶されていてもよい。充電電力制御サーバ３０に対する情報の送信は、充電開始前であってもよいし、充電開始後であってもよい。
【００３３】
ステップＳ１において充電が開始されたら、次いで、ステップＳ２において、充電中の蓄電池電力の実効値Ａを計測する。この実効値の計測は、所定の時間間隔で周期的に実施されてもよい。なお、図３Ａ、図３Ｂでは、充電開始から時刻ｔ１になるまで、実効値Ａが単調増加する様子が描かれている。
【００３４】
次いで、ステップＳ３では、蓄電池電力の実効値Ａが単調減少しているか否かを判定する。このステップは、一例として、充電電力制御サーバ３０が、充電器１５Ａから電気自動車の蓄電池電力の実効値Ａに関する情報を受信し、その実効値情報に基づいて充電電力制御サーバ３０側で行われるものであってもよい。この判定では、例えば実効値Ａの移動平均を利用してもよい。図３Ａの例では、時刻ｔ１以降、実効値Ａが単調減少する様子が描かれている。
【００３５】
実効値Ａが単調減少していない場合、制限値の初期値での充電を継続する。一方、ステップＳ３において実効値Ａが単調減少していると判定された場合、ステップＳ４に処理に移動する。ステップＳ４では、要求電力が、計測された実効値Ａと同一もしくはそれより少し高くなるような値Ｐ１（但し、初期値Ｐ０より小さい）に再設定される。
【００３６】
図３Ａ、図３Ｂの例では、時刻ｔ２においてこのような要求電力の再設定が行われている。なお、要求電力は、実効値Ａよりも１〜１０ｋＷだけ高い値、または、２〜５ｋＷだけ高い値となるように設定されてもよい。また、図３Ａでは、一例として要求電力が段階的に低くなっていく例を示しているが、実効値Ａの傾斜に沿うように、要求電力を連続的に低くしていってもよい。
【００３７】
また、充電器１５Ａの制限値についても、上記再設定された要求電力と同一または実質的に同一の値に再設定される（ステップＳ４）。このような制限値の再設定は、要求電力の再設定と同時に時間ｔ２において実施されてもよいし、要求電力の再設定より前もしくは後に実施されてもよい。「要求電力と実質的に同一」とは、制限値が、例えば、要求電力よりも数ｋＷ程度高くてよいことを意図している。
【００３８】
要求電力等がこのように初期の値（あるいはそれまでの値）より小さい値に再設定されるということは、それ以降、充電器１５Ａがその電気自動車の充電のために必要とする電力が少なくなることを意味する。したがって、その分の余剰の電力を他の充電器に利用することが可能となり、充電設備全体として効率的な電力利用が可能となる。
【００３９】
上述のように再設定された要求電力および制限値は所定の記憶デバイスに記憶される。具体的には、充電電力制御サーバ３０がそのような情報を記憶してもよい。あるいは、充電器１５Ａ内の記憶部（不図示）に記憶してもよい。
【００４０】
ステップＳ４において要求電力および制限値が再設定された後、ステップＳ５では、充電器１５Ａは再設定された制限値で充電を継続する。これは、図３Ａ、図３Ｂでは時刻ｔ２以降に対応する。
【００４１】
充電を継続しながら、次いでステップＳ６において、制限充電を行う必要があるか否かの判定を行う。このような充電電力の「抑制」は、例えば電力網３５に接続された負荷（例えば店舗や住宅）で使用される電力が一時的に大きくなったり、あるいは、ＰＣＳ２０からの電力供給量が一時的に減少したことに起因して生じるものである。
【００４２】
制限充電を行う必要があるか否かの判定は、例えば、ＰＣＳ２０によって実施されてもよい。または、充電電力制御サーバ３０もしくは不図示の管理サーバによって実施されてもよい。
【００４３】
図３Ｂでは、抑制が入った場合の利用可能な電力上限値として制限値Ｕ１が設定されている。制限値Ｕ１は、要求電力Ｐ１よりも低い値であって、かつ、電気自動車の充電に必要な最低電力値よりも高い値である。
【００４４】
制限充電を行う必要がある判定された場合、ステップＳ７で制限充電が実施される。具体的には、この例では、時刻ｔ３から時刻ｔ４までの間、充電器１５Ａの電力が制限値Ｕ１に制限された状態で充電が行われる。
【００４５】
制限充電を行なっている間、ステップＳ８として、制限充電を解除可能であるか否かの判定を行う。例えば、制限充電を開始する原因となった事象が解決されたような場合には、制限充電を解除してよいと判定する。制限充電を解除可能であるか否かの判定は、例えば、ＰＣＳ２０によって実施されてもよい。または、充電電力制御サーバ３０もしくは不図示の管理サーバによって実施されてもよい。
【００４６】
なお、制限充電が開始された場合、単調減少判定のための移動平均ログをクリアするようにしてもよい。制限充電中は、基本的には、要求電力は更新されず、また、単調減少か否かの判定を一時的に停止するようにしてもよい。
【００４７】
制限充電が解除された後は、図３Ｂに示すように再び通常充電に戻ることとなる（ステップＳ９）。本実施形態では、このステップＳ９において、制限値を初期値（Ｐ０）まで戻すのではなく、制限値を初期値より低い値に再設定された要求電力に再設定して充電を行うことを１つの特徴としている。
【００４８】
このようなステップは、例えば、充電電力制御サーバ３０が、制限充電を開始する前の制限値および／または要求電力Ｐ１を記憶しておき、充電電力制御サーバ３０が、充電器１５Ａに対してその再設定された制限値で充電を再開するように命令を発することにより実施されるものであってもよい。
【００４９】
図３Ｂでは時刻ｔ５で再び制限充電が開始される様子が例示されているが、当然ながら、ステップＳ９の充電がそのまま継続されてもよい。また、ステップＳ２〜ステップＳ５のステップ等（単調減少の判定ステップ等、フローチャート参照）が、この充電動作中に実施されてもよい。
【００５０】
一定時間充電を継続した後またはユーザからの充電完了の操作があったとき、従来公知の方法に従って、電気自動車の充電を終了する（ステップＳ１０）。上述した一連の動作により充電器による電気自動車の充電を実施することができる。
【００５１】
以上説明したような本実施形態の充電電力管理方法によれば、制限充電前の要求電力をシステム側で記憶しておき、制限充電解除後に、制限値を、初期値ではなく再設定された要求電力に設定して通常の充電が再開される。この再設定された制限値は、電気自動車が充電のために本来利用したい値と同一またはそれ以上に設定されているので、充電性能は維持しつつリソース電力の無駄な利用を抑えることができる。
【００５２】
本実施形態のように複数の充電器を有するシステムにおいては、通常、複数の充電器に供給する電力は、それぞれの充電器の「制限値」の和が各充電器に供給可能な電力を超えないように制御される。この場合、例えば１つの充電器の制限値が無駄に高い場合、他の充電器の制限値を低くする必要が生じ、その結果、それらの充電器の充電時間が延びてしまう可能性がある。これに対して、本実施形態によれば、制限値がより小さい値に再設定されるので、上記のような問題の発生を防止することが可能となる。
【００５３】
以上、本発明の一例について説明したが、本発明は上記説明に限定されるものではなく、種々変更可能である。
（ａ１）図４のフローチャートに示したステップは、図示されている順に実施される必要は必ずしもなく、所定のステップが他のステップより先に、あるいは、他のステップと同時に実施されてもよい。
（ａ２）上記では、充電器のスペック値（例えば３０ｋＷ、５０ｋＷ）で充電を開始することについて説明した。しかしながら、スペック値よりも低い値（例えばスペック値が５０ｋＷの充電器の場合、３０ｋＷ）で充電を開始するようにしてもよい。
（ａ３）本発明は、電気自動車等の充電電力制御に限らず、他の蓄電池の充電電力制御にも応用可能であり、例えば、電子機器の蓄電池；家庭用蓄電池；ＵＰＳなどのバックアップ用蓄電池；太陽光発電、風力発電などで発電した電力を貯める大規模蓄電池等にも利用することができる。
【００５４】
（付記）
本明細書は以下の説明を開示する：
１．１つまたは複数の充電器が配置された充電設備において蓄電池を充電するための充電電力制御方法であって、１つの充電器が充電に利用可能な上限電力値（以下、「制限値」という）と、充電時に蓄電池が本来利用したい電力（以下、「要求電力」という）とが予め設定されており、
Ａ１：予め設定された所定の初期電力で蓄電池の充電を開始するステップと、
Ａ２：充電中の蓄電池電力の実効値を計測するステップと、
Ａ３：計測された前記実効値が単調減少しているか否かを判定するステップと、
Ａ４：単調減少している場合に、前記制限値および前記要求電力の値を、前記実効値と同一もしくは実効値より所定の値だけ大きい値であってかつ制限値または要求電力の初期値よりは小さい値に再設定するステップと、
Ａ５：再設定された前記制限値および前記要求電力を記憶しておくステップと、
Ａ６：その後、再設定された前記制限値で蓄電池の充電を続けるステップと、
Ａ７：蓄電池の充電中に、現在の要求電力よりも制限値を低くして充電（以下、「制限充電」という）を行うステップと、
Ａ８：制限充電が解除された後に、制限値を、記憶しておいた前記要求電力に設定して充電を再開するステップと、
を有する、充電電力制御方法。
【００５５】
２．充電開始時の前記初期電力値が、充電器の性能に応じて予め決定されたスペック値である、上記１に記載の充電電力制御方法。
【００５６】
３．前記実効値が単調減少しているか否かを判定する前記ステップが、所定の時間間隔で周期的に行われる、上記１または２に記載の充電電力制御方法。
【００５７】
４．前記Ａ２からＡ５までのステップが、制限充電解除後の充電中にも行われる、上記１〜３のいずれか一つに記載の充電電力制御方法。
【００５８】
５．前記蓄電池は、電気自動車に搭載された蓄電池である、上記１〜４のいずれか一つに記載の充電電力制御方法。
【００５９】
６．１つまたは複数の充電器と、その充電器に電力を供給する電力コントローラと、少なくとも前記充電器の動作の一部を制御する充電電力制御装置とを備えるシステムであって、
１つの充電器が充電に利用可能な上限電力値（以下、「制限値」という）と、充電時に蓄電池が本来利用したい電力（以下、「要求電力」という）とが予め設定されており、
前記充電電力制御装置は、
Ｂ１：充電中の蓄電池電力の実効値が単調減少しているか否かを判定する判定処理部と、
Ｂ２：単調減少している場合に、前記制限値および前記要求電力の値を、前記実効値と同一もしくは実効値より所定の値だけ大きい値であってかつ制限値または要求電力の初期値よりは小さい値に再設定する再設定処理部と、
Ｂ３：再設定された前記制限値および前記要求電力を記憶デバイスに記憶させる記憶処理部と、
Ｂ４：蓄電池の充電中に、現在の要求電力よりも制限値を低くして充電（以下、「制限充電」という）が行われ、その制限充電が解除された後に、前記制限値を前記記憶されていた要求電力に設定して充電を再開するよう充電器に命令を送信する充電再開処理部と、
を有する、充電電力制御システム。
【００６０】
７．１つまたは複数の充電器と、その充電器に電力を供給する電力コントローラと、少なくとも前記充電器の動作の一部を制御する充電電力制御装置とを備えるシステムにおける前記充電電力制御装置のためのコンピュータプログラムであって、
１つの充電器が充電に利用可能な上限電力値（以下、「制限値」という）と、充電時に蓄電池が本来利用したい電力（以下、「要求電力」という）とが予め設定されており、
１つまたは複数のコンピュータを、
Ｃ１：充電中の蓄電池電力の実効値が単調減少しているか否かを判定する判定処理部と、
Ｃ２：単調減少している場合に、前記制限値および前記要求電力の値を、前記実効値と同一もしくは実効値より所定の値だけ大きい値であってかつ制限値または要求電力の初期値よりは小さい値に再設定する再設定処理部と、
Ｃ３：再設定された前記制限値および前記要求電力を記憶デバイスに記憶させる記憶処理部と、
Ｃ４：蓄電池の充電中に、現在の要求電力よりも制限値を低くして充電（以下、「制限充電」という）が行われ、その制限充電が解除された後に、前記制限値を前記記憶されていた要求電力に設定して充電を再開するよう充電器に命令を送信する充電再開処理部と、
して機能させる、コンピュータプログラム。そのプログラムを格納した媒体。
【００６１】
８．蓄電池を充電する複数の充電器を管理する充電器管理装置であって、
ａ：前記充電器から前記蓄電池に充電している状態における前記蓄電池の電力の実効値を示す情報と、前記充電器が前記蓄電池に充電可能な上限電力値（制限値）の初期値を示す情報と、を取得し、
ｂ：前記実効値が所定期間において減少している場合に、前記上限値を、前記実効値と同一もしくは実効値よりも所定の値だけ大きい値であってかつ前記制限値の初期値よりも小さい値に再設定する、
ことを特徴とする充電器管理装置。
【符号の説明】
【００６２】
１  蓄電充電システム
１０  充電設備
１５Ａ〜１５Ｂ  充電器
１５ａ  制御部
１５ｂ  給電ケーブル
２０  ＰＣＳ
２２  系統電力
２３  蓄電池
２４  太陽光発電
３０  充電電力制御サーバ（充電電力制御装置）
３５  配電網
３６  ネットワーク
【図１】
2014208565.tif 000003
【図２】
2014208565.tif 000004
【図３Ａ】
2014208565.tif 000005
【図３Ｂ】
2014208565.tif 000006
【図４】
2014208565.tif 000007
【国際調査報告】
2014208565.tif 000008
2014208565.tif 000009
2014208565.tif 000010
2014208565.tif 000011